(57)【要約】【課題】ランプ破損に伴う反射鏡の交換時、反射鏡のみを交換し、他の構成部材の交換を不要にして、交換時の作業上の労力の軽減化と、交換時の交換部品の減少に伴う経済性の向上を図る。【解決手段】反射鏡３、４と、該反射鏡を挟んで配置される第１ランプ保持部５１と第２ランプ保持部６１とからなる光源装置において、前記反射鏡が取り付けられた反射鏡支持板７１と、第１ランプ保持部５１が取り付けられた第１ランプ保持部支持板５２と、第２ランプ保持部６１が取り付けられた第２ランプ保持部支持板と、反射鏡支持板７１と第１ランプ保持部支持板５２とを固定する第１固定手段８１と、反射鏡支持板７１と第２ランプ保持部支持板６２とを固定する第２固定手段とを備え、反射鏡支持板７１の一端面と第１ランプ保持部支持板５２の端面および／または反射鏡支持板７１の他端面と第２ランプ保持部支持板６２の端面とを接するようにした。【選択図】図１
2008305628.tif 000002
【特許請求の範囲】
【請求項１】
反射鏡と、
前記反射鏡を挟んで配置される第１のランプ保持部と第２のランプ保持部とからなる光源装置において、
前記反射鏡が取り付けられた反射鏡支持板と、
前記第１のランプ保持部が取り付けられた第１のランプ保持部支持板と、
前記第２のランプ保持部が取り付けられた第２のランプ保持部支持板と、
前記反射鏡支持板と前記第１のランプ保持部支持板とを固定する第１の固定手段と、
前記反射鏡支持板と前記第２のランプ保持部支持板とを固定する第２の固定手段とを備え、
前記反射鏡支持板の一端面と前記第１のランプ保持部支持板の端面および／または前記反射鏡支持板の他端面と前記第２のランプ保持部支持板の端面とを接するようにしたことを特徴とする光源装置。
【請求項２】
前記第１のランプ保持部支持板に設けた第１のランプ保持部側位置決め部と、
前記第２のランプ保持部支持板に設けた第２のランプ保持部側位置決め部と、
前記第１のランプ保持部側位置決め部および／または前記第２のランプ保持部側位置決め部の前記反射鏡支持板に対向する面に設けた弾性体と、
からなることを特徴とする請求項１に記載の光源装置。
【請求項３】
前記反射鏡支持板の一端面もしくは他端面または前記第１のランプ保持部支持板の端面もしくは前記第２のランプ保持部支持板の端面に設けた弾性体と、
からなることを特徴とする請求項１または請求項２記載の光源装置。
【発明の詳細な説明】
【技術分野】
【０００１】
本発明は、光源装置に係わり、特に、プロジェクタや映写機の光源に用いられる光源装置に関する。
【背景技術】
【０００２】
特許文献１には、プロジェクタや映写機の光源としてキセノンランプを用いた光源装置が開示されている。図６は、特許文献１に示されるような従来技術に係るショートアーク型のキセノンランプを用いた光源装置１００のランプの長手方向に沿った断面図である。
同図において、ショートアーク型キセノンランプ１０１の球状のバルブ１１１の内部には、ランプ点灯時におけるガス圧が２〜８ＭＰａになるようにキセノンガスが封入され、一対の電極１１２が対向配置されている。バルブ１１１の両端には電極１１２を埋設する一対の封止部１１３が設けられ、各々の封止部１１３には口金１１４、１１５が設けられている。一対の電極１１２は図示しない電源に接続され、２〜７ｋＷの定格点灯電力が入力されてキセノンランプ１０１は点灯する。キセノンランプ１０１の点灯時、一対の対向する電極１１２は、各電極１１２間の距離が短い（近接している）ため、アーク径が小さい点光源となる。
【０００３】
キセノンランプ１０１の両端に配置される一対の口金１１４、１１５の内、一方の口金１１４を第１のランプ保持部材１０２で保持し、他方の口金１１５を第２のランプ保持部材１０３で保持している。一方の口金１１４と他方の口金１１５との間にキセノンランプ１０１のバルブ１１１を囲むように反射鏡１０４、１０５が配置されている。反射鏡１０４、１０５は、その焦点とキセノンランプ１０１の焦点（点光源）とが一致するように設けられている。第１のランプ保持部材１０２と第２のランプ保持部材１０３と反射鏡１０４、１０５とは１つの支持板１０６上に支持されている。支持板１０６は図示しないプロジェクタに設置される。
【特許文献１】特開２００１−３１９５０２
【発明の開示】
【発明が解決しようとする課題】
【０００４】
上記のキセノンランプ１０１は、キセノンランプ１０１内にキセノンガスが封入されることにより、大気圧より内圧が高い。このため、キセノンランプ１０１が破裂すると反射鏡１０４、１０５が破損してしまう。反射鏡１０４、１０５が破損すると、反射鏡１０４、１０５を支持する支持板１０６ごと交換する必要があった。しかし、支持板１０６上には、第１のランプ保持部材１０２と第２のランプ保持部材１０３が支持されているため、光源装置全体を交換することになり、作業上の労力が大きくなるという問題があった。さらに、破損していない第１のランプ保持部材１０２および第２のランプ保持部材１０３までも反射鏡１０４、１０５と一緒に交換することになるので、不経済となる問題があった。
【０００５】
本発明の目的は、上記の問題点に鑑みて、ランプ破損等に伴う反射鏡の交換時において、反射鏡のみを交換し、光源装置を構成する他の部材の交換を不要にして、交換時の作業上の労力の軽減化と、交換時の交換部品の減少に伴う経済性の向上を図った光源装置を提供することにある。
【課題を解決するための手段】
【０００６】
本発明は、上記の課題を解決するために、次のような手段を採用した。
第１の手段は、反射鏡と、前記反射鏡を挟んで配置される第１のランプ保持部と第２のランプ保持部とからなる光源装置において、前記反射鏡が取り付けられた反射鏡支持板と、前記第１のランプ保持部が取り付けられた第１のランプ保持部支持板と、前記第２のランプ保持部が取り付けられた第２のランプ保持部支持板と、前記反射鏡支持板と前記第１のランプ保持部支持板とを固定する第１の固定手段と、前記反射鏡支持板と前記第２のランプ保持部支持板とを固定する第２の固定手段とを備え、前記反射鏡支持板の一端面と前記第１のランプ保持部支持板の端面および／または前記反射鏡支持板の他端面と前記第２のランプ保持部支持板の端面とを接するようにしたことを特徴とする光源装置である。
第２の手段は、第１の手段において、前記第１のランプ保持部支持板に設けた第１のランプ保持部側位置決め部と、前記第２のランプ保持部支持板に設けた第２のランプ保持部側位置決め部と、前記第１のランプ保持部側位置決め部および／または前記第２のランプ保持部側位置決め部の前記反射鏡支持板に対向する面に設けた弾性体と、からなることを特徴とする光源装置である。
第３の手段は、第１の手段または第２の手段において、前記反射鏡支持板の一端面もしくは他端面または前記第１のランプ保持部支持板の端面もしくは前記第２のランプ保持部支持板の端面に設けた弾性体と、からなることを特徴とする光源装置である。
【発明の効果】
【０００７】
請求項１に記載の発明によれば、反射鏡交換時、反射鏡とこれを支持する反射鏡支持板のみを交換するため、光源装置全体を交換する場合に比べて交換作業を容易化することができる。また、反射鏡とこれを支持する反射鏡支持板のみを交換するため、コストを低減することができる。また、第１の固定手段と第２の固定手段により、ランプの長手方向に対する垂直方向の位置決めを精度よく行うことができる。
請求項２に記載の発明によれば、載置される光源装置の重力方向に対する位置決めを精度良く行うことができる。
請求項３に記載の発明によれば、ランプの長手方向に対する位置決めまたは載置される光源装置の重力方向とランプの長手方向に対する位置決めを精度良く行うことができる。
【発明を実施するための最良の形態】
【０００８】
本発明の第１の実施形態を図１から図３を用いて説明する。
図１は本実施形態の発明に係る光源装置１のランプの長手方向に沿った正面断面図、図２は図１に示す光源装置１において、キセノンランプ２を除いた、反射鏡支持板７１と第１のランプ保持部支持板５２と第２のランプ保持部支持板６２とに分解して示した正面断面図、図３は図２に示した光源装置１の平面図である。
これらの図において、１は光源装置、２はショートアーク型のキセノンランプ、２１はキセノンランプ２の球状のバルブ、２２はバルブ２１内に対向配置される一対の電極、２３はバルブ２１の両端に電極２２を埋設する一対の封止部、２４、２５は各封止部２３に設けられる口金、３、４は、一方の口金２４と他方の口金２５との間にキセノンランプ２のバルブ２１を囲むように配置される反射鏡、５１は一方の口金２４を保持する第１のランプ保持部、５２は第１のランプ保持部５１を支持する第１のランプ保持部支持板、５３は第１のランプ保持部側位置決め部、５４は第１のランプ保持部支持板５２の端面、５５はねじ止め用孔、６１は他方の口金２５を保持する第２のランプ保持部、６２は第２のランプ保持部６１を支持する第２のランプ保持部支持板、６３は第２のランプ保持部側位置決め部、６４は第２のランプ保持部支持板６２の端面、６５はねじ止め用孔、７１は反射鏡支持板、７２は反射鏡側の第１の位置決め部、７３は反射鏡側の第２の位置決め部、７４は反射鏡支持板７１の一端面、７５は反射鏡支持板７１の他端面、７６はねじ止め用孔、８１はねじ止め等の第１の固定手段、８２はねじ止め等の第２の固定手段、８３は搬送時に用いられる第１の仮止手段、８４は搬送時に用いられる第２の仮止手段である。
【０００９】
本実施形態の発明に係る光源装置１は、図１から図３に示すように、反射鏡支持板７１と第１のランプ保持部支持板５２と第２のランプ保持部支持板６２とが分解可能であり、図１は、反射鏡３、４を支持した反射鏡支持板７１と第１のランプ保持部支持板５２とが第１の固定手段８１により接合され、反射鏡支持板７１と第２のランプ保持部支持板６２とが第２の固定手段８２により接合された状態においてキセノンランプ２が設置された状態を示している。なお、キセノンランプ２のバルブ２１の内部には、ランプ点灯時におけるガス圧が２〜８ＭＰａになるようにキセノンガスが封入されており、一対の電極２２は図示しない電源に接続され、２〜７ｋＷの定格点灯電力が入力されてキセノンランプ２は点灯する。キセノンランプ２の点灯時、一対の対向する電極２２は、各電極２２間の距離が短い（近接している）ため、アーク径が小さい点光源となる。なお、図１に示すように、キセノンランプ２の一対の電極２２の中心軸方向をＸ軸方向とし、電極２２に対して垂直方向で、キセノンランプ２を支持する第１のランプ支持体５の伸びる方向をＹ軸方向とし、Ｘ軸方向およびＹ軸方向に対してそれぞれ垂直な方向をＺ軸方向とする。
【００１０】
図２および図３は、例えば、反射鏡３、４の破損後等、新たに反射鏡３、４の設置した反射鏡支持板７１を、破損前の第１のランプ保持部５１を支持する第１のランプ保持部支持板５２と第２のランプ保持部６１を支持する第２のランプ保持部支持板６２に接合しようとする状態を示している。これらの図に示すように、第１のランプ保持部支持板５２の反射鏡支持板７１側の端部には第１のランプ保持部側位置決め部５３が設けられ、第２のランプ保持部支持板６２の反射鏡支持板７１側の端部には第２のランプ保持部側位置決め部６３が設けられている。第１のランプ保持部側位置決め部５３と第１のランプ保持部支持板５２側の反射鏡支持板７１の端部には、第１の仮止手段８３のためのネジ止め用孔部５５、７６が設けられ、第２のランプ保持部側位置決め部６３と第２のランプ保持部支持板６２側の反射鏡支持板７１の端部には、第２の仮止手段８４のためのねじ止め用孔６５、７６が設けられている。光源装置１の搬送時には、第１の仮止手段８３によって第１のランプ保持部支持板５２と反射鏡支持板７１とを仮止めし、第２の仮止手段８４によって第２のランプ保持部支持板６２と反射鏡支持板７１とを仮止めし、キセノンランプ１を除く光源装置１を一体として搬送する。
【００１１】
分割された光源装置１の組立は、第１の仮止手段８３と第２の仮止手段８４による仮止めを取り外し、図３に示すように、（ただし、説明の便宜上、図３は、反射鏡支持板７１の一端面７４と第１のランプ保持部支持板５２の端面との間、反射鏡支持板７１の他端面７５と第２のランプ保持部支持板６２の端面６４との間を離している）反射鏡支持板７１の一端面７４と第１のランプ保持部支持板５２の端面５４とを摺接させ、また同時に反射鏡支持板７１の他端面７５と第２のランプ保持部支持板６２の端面６４とを摺接させて、第１のランプ保持部支持板５２と第２のランプ保持部支持板６２との間に、反射鏡支持板７１を挿入する。挿入により、反射鏡側の第１の位置決め部７２と第１のランプ保持部側位置決め部５３とが当接され、反射鏡側の第２の位置決め部７３と第２のランプ保持部側位置決め部６３とが当接される。次に、反射鏡支持板７１上に支持された反射鏡３、４の焦点に対して、第１のランプ保持部５１および第２のランプ保持部６１に保持される図示しないキセノンランプの焦点が一致するように、第１のランプ保持部支持板５２の端面５４と反射鏡支持板７１の一端面７４が接するように配置し、第２のランプ保持部支持板６２の端面６４と反射鏡支持板７１の他端面７５が接するように配置する。次に、第１の固定手段８１によって反射鏡側の第１の位置決め部７２と第１のランプ保持部側位置決め部５３とを固定して、第１のランプ保持部支持板５２と反射鏡支持板７１を固定し、第２の固定手段８２によって反射鏡側の第２の位置決め部７３と第２のランプ保持部側位置決め部６３とを固定して、第２のランプ保持部支持板６２と反射鏡支持板７１とを固定する。すなわち、反射鏡支持板７１上に支持された反射鏡３、４の焦点に対して、第１のランプ保持部５１および第２のランプ保持部６１に保持される図示しないキセノンランプの焦点が一致するように、第１のランプ保持部支持板５２、反射鏡支持板７１および第２のランプ保持部支持板６２は一体となった光源装置として構成される。その後、光源装置１は、第１のランプ保持部支持板５２および第２のランプ保持部支持板６２が図示しないプロジェクタに固定される。このため、第１のランプ保持部支持板５２および第２のランプ保持部支持板６２に固定された反射鏡支持板７１も、結果として、図示しないプロジェクタに固定される。
【００１２】
キセノンランプ２が破裂して反射鏡３、４が破損したような場合は、第１の固定手段８１と第２の固定手段８２による固定を取り外し、第１のランプ保持部支持板５２と第２のランプ保持部支持板６２をプロジェクタに固定したまま、破損した反射鏡３、４を支持する反射鏡支持板７１のみを取り外す。新しく取り換えられた反射鏡３、４を支持する反射鏡支持板７１は、プロジェクタに固定された第１のランプ保持部支持板５２と第２のランプ保持部支持板６２の間に摺接させながら挿入する。挿入された反射鏡支持板７１は、反射鏡支持板７１の一端面７４と第１のランプ保持部支持板５２の端面５４が接すると共に反射鏡支持板７１の他端面７５と第２のランプ保持部支持板６２の端面６４とが接することにより、Ｘ軸方向の位置決めを行うことができる。また、反射鏡側の第１の位置決め部７２と第１のランプ保持部側位置決め部５３とが当接すると共に、反射鏡側の第２の位置決め部７３と第２のランプ保持部側位置決め部６３とが当接することによりＺ軸方向の位置決めを行うことができる。Ｙ軸方向の位置決めは反射鏡支持板７１の自重によって実現することができる。
【００１３】
本実施形態の発明によれば、第１の固定手段８１および第２の固定手段８２の固定の解除および固定により、反射鏡３、４を支持した反射鏡支持板７１を交換することができ、反射鏡支持板７１を交換しても、反射鏡支持板７１の一端面７４および他端面７５と第１のランプ保持部支持板５２の端面５４と第２のランプ保持部支持板６２の端面６４により、Ｘ軸方向の位置決めができ、反射鏡支持板７１の自重により、Ｙ軸方向の位置決めができ、反射鏡側の第１の位置決め部７２と第１のランプ保持部側位置決め部５３とが当接すると共に、反射鏡側の第２の位置決め部７３と第２のランプ保持部側位置決め部６３とが当接することによりＺ軸方向の位置決めを行うことができる。このため、反射鏡支持板７１を交換しても、図示しないキセノンランプの焦点と反射鏡３、４の焦点とを一致させることができる。光源装置の支持板を第１のランプ保持部支持板５２、反射鏡支持板７１および第２のランプ保持部支持板６２の３つに分割できるとともに、第１の固定手段８１と第２の固定手段８２を設けたことにより、反射鏡３、４を支持した反射鏡支持板７１のみを交換することができるので、光源装置全体を交換する場合に比べて、コストを低く抑えることができる。
【００１４】
本発明の第２の実施形態を図４および図５を用いて説明する。
図４は本実施形態の発明に係る光源装置１を反射鏡支持板７１と第１のランプ保持部支持板５２と第２のランプ保持部支持板６２とに分解して示した正面断面図、図５は図４において反射鏡３、４および反射鏡支持板７１が省略された光源装置の平面図である。
これらの図において、５６は第１のランプ保持部側位置決め部５３の反射鏡支持板７１に摺接する面に設けられた板ばね等からなる弾性体、６６は第２のランプ保持部側位置決め部６３の反射鏡支持板７１に摺接する面に設けられた板ばね等からなる弾性体、６７は
第２のランプ保持部支持板６２の反射鏡支持板７１に摺接する端面６４に設けられた板ばね等からなる弾性体である。なお、第２のランプ保持部支持板６２の反射鏡支持板７１に摺接する端面６４に弾性体６７を設けることに代えて、反射鏡支持板７１の一端面７４もしくは他端面７５または第１のランプ保持部支持板５２の反射鏡支持板７１に摺接する端面５４に弾性体を設けるようにしてもよい。これらの図において、その他の構成は図２および図３に示した同符号の構成に対応するので説明を省略する。
【００１５】
本実施形態の発明によれば、弾性体５６、６６を設けたことにより、反射鏡支持板７１のＹ軸方向の位置決めを確実に行うことができる。また、弾性体６７を設けたことにより、反射鏡支持板３１の一端面７４を第１のランプ保持部支持板５２の端面５４に押圧することができ、Ｘ軸方向の位置決めを確実に行うことができる。
【図面の簡単な説明】
【００１６】
【図１】第１の実施形態の発明に係る光源装置１のランプの長手方向に沿った正面断面図である。
【図２】図１に示す光源装置１を反射鏡支持板７１と第１のランプ保持部支持板５２と第２のランプ保持部支持板６２とに分解して示した正面断面図である。
【図３】図２に示した光源装置１の平面図である。ただし、説明の便宜上、反射鏡支持板７１の一端面７４と第１のランプ保持部支持板５２の端面との間、反射鏡支持板７１の他端面７５と第２のランプ保持部支持板６２の端面６４との間を離している。
【図４】第２の実施形態の発明に係る光源装置１を反射鏡支持板７１と第１のランプ保持部支持板５２と第２のランプ保持部支持板６２とに分解して示した正面断面図である。
【図５】図４において反射鏡３、４および反射鏡支持板７１が省略された光源装置の平面図である。
【図６】従来技術に係る光源装置１００のランプの長手方向に沿った正面断面図である。
【符号の説明】
【００１７】
１  光源装置
２  ショートアーク型のキセノンランプ
２１  バルブ
２２  電極
２３  封止部
２４、２５  口金
３、４  反射鏡
５１  第１のランプ保持部
５２  第１のランプ保持部支持板
５３  第１のランプ保持部側位置決め部
５４  第１のランプ保持部支持板５２の端面
５５  ねじ止め用孔
５６  弾性体
６１  第２のランプ保持部
６２  第２のランプ保持部支持板
６３  第２のランプ保持部側位置決め部
６４  第２のランプ保持部支持板６２の端面
６５  ねじ止め用孔
６６、６７  弾性体
７１  反射鏡支持板
７２  反射鏡側の第１の位置決め部
７３  反射鏡側の第２の位置決め部
７４  反射鏡支持板７１の一端面
７５  反射鏡支持板７１の他端面
７６  ねじ止め用孔
８１  第１の固定手段
８２  第２の固定手段
８３  第１の仮止手段
８４  第２の仮止手段
【図１】
2008305628.tif 000003
【図２】
2008305628.tif 000004
【図３】
2008305628.tif 000005
【図４】
2008305628.tif 000006
【図５】
2008305628.tif 000007
【図６】
2008305628.tif 000008